(57)【要約】【課題】利用者が簡単に予約を行え、ＩＣカードを利用して本当に予約した正規の予約済み利用者であるか否かを確認できるＩＣカードを利用した施設利用管理システムを提供する。【解決手段】ＩＣカードには、利用者ＩＤが記憶された記憶手段を有し、予約用コンピュータ装置には、入力手段と、記憶手段と、利用者ＩＤと予約施設特定情報と予約日情報とを認証コード生成鍵を用いて電子署名を施す電子署名生成手段と、認証コードを表示する表示手段と、を備え、ＩＣカード処理装置は、計時手段と、入力手段と、ＩＣカードの利用者ＩＤを読み取るＩＣカード読取手段と、記憶手段と、ＩＣカード読取手段で読み取った利用者ＩＤと記憶手段に記憶されたＩＣカード端末ＩＤと利用日情報とを、認証コード生成鍵を用いて電子署名を施す電子署名生成手段と、生成された認証コードと、入力された認証コードとを照合する照合手段とを備えていることを特徴とする。【選択図】　　　　図１
2004133664.tif 000002
【特許請求の範囲】
【請求項１】
施設の利用者が所持するＩＣカードと、予約用コンピュータ装置と、施設に設置されたＩＣカード処理装置とにより施設の利用管理を行うＩＣカードを利用した施設利用管理システムであって、
前記ＩＣカードには、利用者を特定する利用者ＩＤが記憶された記憶手段を有し、
前記予約用コンピュータ装置には、前記利用者からの予約申請に基づく利用者ＩＤと予約施設特定情報と予約日情報とを入力する入力手段と、利用者ＩＤと、ＩＣカード処理装置を特定するＩＣカード処理装置ＩＤと、認証コード生成鍵と、施設予約状況情報とが記憶された記憶手段と、前記利用者ＩＤと前記予約施設特定情報と前記予約日情報とを前記認証コード生成鍵を用いて電子署名を施す電子署名生成手段と、前記電子署名生成手段で生成された認証コードを表示する表示手段と、を備え、
前記ＩＣカード処理装置は、日付を計測する計時手段と、施設の利用者が認証コードを入力する入力手段と、前記ＩＣカードに記憶された利用者ＩＤを読み取るＩＣカード読取手段と、ＩＣカード処理装置ＩＤと認証コード生成鍵とが記憶された記憶手段と、前記ＩＣカード読取手段で読み取った利用者ＩＤと、前記記憶手段に記憶されたＩＣカード端末ＩＤと、前記計時手段で計測された利用日情報とを、前記認証コード生成鍵を用いて電子署名を施す電子署名生成手段と、前記電子署名生成手段で生成された認証コードと、前記入力手段から入力された認証コードとを照合する照合手段とを備えていることを特徴とするＩＣカードを利用した施設利用管理システム。
【請求項２】
前記ＩＣカード処理装置には、前記照合手段による結果を表示する表示手段とを備えていることを特徴とする請求項１記載のＩＣカードを利用した施設利用管理システム。
【請求項３】
前記ＩＣカード処理装置には、前記照合手段による結果、照合一致した場合に施錠を開ける開錠手段が備えていることを特徴とする請求項１記載のＩＣカードを利用した施設利用管理システム。
【発明の詳細な説明】
【０００１】
【発明の属する技術分野】
本発明は、施設の利用者が所持するＩＣカードと、予約管理センターに設置された予約用コンピュータ装置と、施設に設置されたＩＣカード処理装置とにより施設の利用管理を行うＩＣカードを利用した施設利用管理システムに関する。
【０００２】
【従来の技術】
従来、利用者が、例えば宿泊施設、テニスコートや野球場などのスポーツ施設、駐車場や会議室、病院などの施設の予約を、利用者が所持するＩＣカードを用いて行う場合には、予約センターなどに設置されているホストコンピュータに予約情報の登録を行ない、またＩＣカードにこれらの予約情報を記憶させることで、利用者が施設の利用を行う際に、利用者が所持するＩＣカードに記憶された予約情報をＩＣカードリーダで読み取り、予約情報の確認を行うことからなる予約システムが既に知られている。（例えば、特許文献１参照）
【０００３】
また、ＩＣカードにチケット購入端末でチケット情報を書き込み、施設内に入る際にＩＣカードに記憶されたチケット情報を読み取ることで、入場許可の判定を行うＩＣカードを用いた施設利用管理システムも既に知られている。（例えば、特許文献２参照）
【０００４】
しかしながら、上記の従来システムでは、いづれもＩＣカードにこれらの予約情報又はチケット情報を記憶させなければならないので、これらのシステムを利用できる利用者は、ＩＣカードリーダを備える設備が住所の近辺にあるか、利用可能な状態にあるなどの場合に限られ、遠隔地などでＩＣカードリーダを備える設備が近くにない場合には、予約を行うことができないという問題がある。
【０００５】
【特許文献１】
特開平１０−１４９３９１号公報
【特許文献２】
特開平８−１１０９２３号公報
【０００６】
【発明が解決しようとする課題】
本発明は、施設を利用しようとする利用者が、予約の際に予約センターなどにＩＣカードを持参しなくても簡単に予約を行えると共に、施設に訪れた利用者が、ＩＣカードを利用して本当に予約した正規の予約済み利用者であるか否かを間違いなく確認することができるＩＣカードを利用した施設利用管理システムを提供する。
【０００７】
【課題を解決するための手段】
本発明のＩＣカードを利用した施設利用管理システムは、施設の利用者が所持するＩＣカードと、予約用コンピュータ装置と、施設に設置されたＩＣカード処理装置とにより施設の利用管理を行うＩＣカードを利用した施設利用管理システムであって、前記ＩＣカードには、利用者を特定する利用者ＩＤが記憶された記憶手段を有し、前記予約用コンピュータ装置には、前記利用者からの予約申請に基づく利用者ＩＤと予約施設特定情報と予約日情報とを入力する入力手段と、利用者ＩＤと、ＩＣカード処理装置を特定するＩＣカード処理装置ＩＤと、認証コード生成鍵と、施設予約状況情報とが記憶された記憶手段と、前記利用者ＩＤと前記予約施設特定情報と前記予約日情報とを前記認証コード生成鍵を用いて電子署名を施す電子署名生成手段と、前記電子署名生成手段で生成された認証コードを表示する表示手段と、を備え、前記ＩＣカード処理装置は、日付を計測する計時手段と、施設の利用者が認証コードを入力する入力手段と、前記ＩＣカードに記憶された利用者ＩＤを読み取るＩＣカード読取手段と、ＩＣカード処理装置ＩＤと認証コード生成鍵とが記憶された記憶手段と、前記ＩＣカード読取手段で読み取った利用者ＩＤと、前記記憶手段に記憶されたＩＣカード端末ＩＤと、前記計時手段で計測された利用日情報とを、前記認証コード生成鍵を用いて電子署名を施す電子署名生成手段と、前記電子署名生成手段で生成された認証コードと、前記入力手段から入力された認証コードとを照合する照合手段とを備えていることを特徴とする。
【０００８】
また、本発明のＩＣカードを利用した施設利用管理システムは、前記ＩＣカード処理装置には、前記照合手段による結果を表示する表示手段とを備えていることを特徴とする。
【０００９】
更に、本発明のＩＣカードを利用した施設利用管理システムは、前記ＩＣカード処理装置には、前記照合手段による結果、照合一致した場合に施錠を開ける開錠手段が備えていることを特徴とする。
【００１０】
【発明の実施の形態】
以下、本発明の実施の形態を図面に基づいて詳細に説明する。
図１は、本発明の実施形態に係るＩＣカードを利用した施設利用管理システムのシステムブロック図、図２は、本発明の実施形態に係るＩＣカードを利用した施設利用管理システムの情報の流れを説明する図、図３は、本発明の実施形態に係るＩＣカードを利用した施設利用管理システムの処理手順を示すフローチャートである。
【００１１】
本発明のＩＣカードを利用した施設利用管理システムは、図１に示すように、ＩＣカード１を所有する施設の利用者２と、例えば予約管理センター３などに設置されている予約用コンピュータ装置４と、施設５に設置されているＩＣカード処理装置６とにより、利用者２がある施設の予約を行ったことをＩＣカード１を介して証明できるようにしてある。
【００１２】
利用者２からの施設予約は、例えば電話２１、電子メール、口頭、申込書などにより予約管理センター３側の予約受付担当者等に対して申込みされる。
これらの申込みに際しては、利用者２が、施設の利用者２が所有しているＩＣカード１に記憶されている所有者ＩＤ、予約施設名等の予約する施設を特定する予約施設特定情報、予約日情報などからなる申込情報を予約受付担当者等に対して通知する。
【００１３】
また、予約管理センター３などに設置されている予約用コンピュータ装置４には、入力手段６、表示手段７、記憶手段８、電子署名生成手段９、制御手段１０などが備えられている。
入力手段６は、予約受付担当者等が利用者２から入手した申込情報を入力することができるキーボードなどからなる。
この入力手段６は、利用者２の端末からインターネットを介して予約用コンピュータ装置４に申込情報を届くようにした場合には、直接これらの申込情報が入力されるような機能を有するようにしてもよい。
【００１４】
また、記憶手段８には、予め利用者ＩＤと、ＩＣカード処理装置を特定するＩＣカード処理装置ＩＤと、認証コード生成鍵と、施設予約状況情報とが記憶されている。
施設予約状況情報とは、各施設における現在までの予約状況が記憶され、利用者からの予約があった場合に、利用可能であるか否かを予約管理センター３の予約受付担当者等が確認できるようにしてある。
電子署名生成手段９は、利用者２が申込みに際して連絡してきた利用者ＩＤと予約施設特定情報と予約日情報とを、記憶手段に記憶されている認証コード生成鍵を用いて電子署名を施す機能を有している。
【００１５】
この場合の電子署名とは、電子署名法に基づくものであり、例えば公開鍵暗号方式を利用する場合は、電子署名を付加するデータに対して、不可逆な一方向関数である、例えばハッシュ関数を利用して、特定の値を算出して、その値に対して電子署名をする者が保持する秘密鍵で暗号化して元データに付加するものである。
そして、この暗号化するための秘密鍵がここでは認証コード生成鍵となっている。
【００１６】
電子署名生成手段９により電子署名が付されたデータをここでは、照合用の認証コードとして利用するために、表示手段７に表示して予約受付担当者等から利用者２に対して連絡できるようにする。
【００１７】
また、予約先の施設５に設置されているＩＣカード処理装置１１には、計時手段１２、入力手段１３、ＩＣカード読取手段１４、記憶手段１５、電子署名生成手段１６、照合手段１７、表示手段１８、開錠手段１９、制御手段２０などが備えられている。
計時手段１２は、時計機能を有すると共に日付を計測する機能を有している。また、入力手段１３は、その施設を予約した利用者２が予約管理センター３に予約を行った際に、予約受付担当者等から利用者２に対して連絡された認証コードを入力するために使用する。
【００１８】
ＩＣカード読取手段１４は、利用者２が所持するＩＣカード１に記憶されている利用者ＩＤを読み取る機能を有している。
また、記憶手段１５には、予めＩＣカード処理装置ＩＤと認証コード生成鍵とが記憶されている。
ＩＣカード処理装置ＩＤは、各施設に設置されているＩＣカード処理装置毎に異なるユニークなコードであり、このＩＣカード処理装置ＩＤからＩＣカード処理装置が設置されている施設を特定できるようにしてある。
電子署名生成手段１６は、ＩＣカード読取手段１４でＩＣカード１から読み取った利用者ＩＤと、予め記憶手段１５に記憶されているＩＣカード端末ＩＤと、更に計時手段１２で計測された利用日時情報とを、記憶手段１５に記憶されている認証コード生成鍵を用いて電子署名を施すことで、照合に用いるための認証コードを生成する機能を有している。
【００１９】
また、照合手段１７は、ＩＣカード処理装置１１の電子署名生成手段で生成された認証コードと、入力手段１３から利用者が入力した認証コードとを照合する機能を有している。
そして、この照合手段１７による照合処理によりその利用者が予約を行った利用者であるか否かの判定が行われ、もし照合一致した場合には、制御手段１９によりその利用者を正当な予約者と認める利用許可表示を表示手段１８で表示することで確認可能にしてある。
開錠手段１９は、施設５を利用する際に施設に設けられている施錠を開く機能を有していて、開錠手段１９からの信号により施錠を自動的に開けて利用者が利用可能にするものであり、これにより施設管理を自動化することもできる。
【００２０】
次に、本発明のＩＣカードを利用した施設利用管理システムの処理手順を図２乃至図３に基づいて説明する。
まず、利用者２が施設の予約を行う際に、例えば電話６などで、所有者ＩＤと、予約施設名等の予約施設特定情報と、利用予約日などの予約申込情報を予約管理センターの予約受付担当者に対して通知する（ステップＳ１）。
次に、予約を受けた予約受付担当者は、予約用コンピュータ装置４の入力手段６で、利用者２から入手した予約申込情報を入力する（ステップＳ２）。
【００２１】
そして、予約用コンピュータ装置４では、電子署名生成手段９により、利用者２が申込みに際して連絡してきた利用者ＩＤと予約施設特定情報と利用予約日情報とを、予め記憶手段８に記憶されている認証コード生成鍵を用いて電子署名を施すことで、認証コードを生成すると共に、表示手段７に認証コードを表示する（ステップＳ３）。
次に、予約受付担当者は、表示手段７に表示された認証コードを利用者２に通知する（ステップＳ４）。
これらの段階までで、施設の予約が完了したことになる。
【００２２】
次に、利用者２が予約日に施設５を利用する際の処理を説明する。
利用者２は、施設５に設置されているＩＣカード処理装置１１のＩＣカード読取手段１４により、ＩＣカード１の記憶手段に記憶されている利用者ＩＤを読み取らせる（ステップＳ５）。
更に、利用者２は、ＩＣカード処理装置１１の入力手段１３から、施設５を予約した際にその予約を受けた予約受付担当者から通知されている認証コードを入力する（ステップＳ６）。
【００２３】
次に、ＩＣカード処理装置１１では、ＩＣカード１から読み取った利用者ＩＤと、ＩＣカード処理装置１１の記憶手段に記憶されたＩＣカード端末ＩＤと、計時手段１２で計測された利用日情報とを、認証コード生成鍵を用いて電子署名生成手段１６により電子署名を施すことで、認証コードを生成する（ステップＳ７）。
【００２４】
次に、電子署名生成手段１６により生成された認証コードと、入力手段１３から入力した認証コードとを、照合手段１７により照合する（ステップＳ８）。
更に、この照合手段１７による照合結果を表示手段１８に表示する（ステップＳ９）。
この照合結果は、照合手段１７での照合が一致した場合には、その利用者２がその日に予約した正当な利用者であることを示す内容の表示が表示手段１８に表示され、施設５側の受付担当者は、この表示手段１８に表示された照合結果を見ることで、相手が正当な利用者であるか否かを判断することができる。
【００２５】
尚、照合手段１７での照合結果に基づいて、照合が一致した場合には、開錠手段１９により施設５に設けられている施錠を自動的に開けて、利用者が施設５を利用できるようにしてもよい。
【００２６】
更に、ＩＣカード１の記憶手段に予めＩＣカード処理装置１１との相互認証鍵を登録しておくと共に、ＩＣカード処理装置１１の記憶手段にも予めＩＣカード１との相互認証鍵を登録しておくことで、上記ステップＳ５の前段階において、ＩＣカード１とＩＣカード処理装置１１の相互認証処理を行うようにしてもよい。
【００２７】
【発明の効果】
以上のように、本発明のＩＣカードを利用した施設利用管理システムによれば、施設を予約する利用者が、予約時に利用者ＩＤを伝え、また認証コードを受け取ることで、どこからでも簡単に照合用の情報を入手することができると共に、施設に訪れた利用者が、ＩＣカードを利用して、認証コードにより本当に予約した正規の予約済み利用者であるか否かを間違いなく確認することができるので、確実な予約処理を行うことができるという効果がある。
また、照合結果を表示手段に表示させることで、施設の受付担当者が訪れた利用者の確認を行うことができるという効果がある。
更に、照合手段で照合一致した場合に、施錠を開錠できるようにすることで、無人の施設の管理も行うことができるという効果がある。
【図面の簡単な説明】
【図１】本発明の実施形態に係るＩＣカードを利用した施設利用管理システムのシステムブロック図である。
【図２】本発明の実施形態に係るＩＣカードを利用した施設利用管理システムの情報の流れを説明する図である。
【図３】本発明の実施形態に係るＩＣカードを利用した施設利用管理システムの処理手順を示すフローチャートである。
【符号の説明】
１　ＩＣカード
２　施設の利用者
３　予約管理センター
４　予約用コンピュータ装置
５　施設
６，１３　入力手段
７，１８　表示手段
８，１５　記憶手段
９，１６　電子署名生成手段
１０，２０　制御手段
１１　ＩＣカード処理装置
１２　計時手段
１４　ＩＣカード読取手段
１７　照合手段
２１　電話
【図１】
2004133664.tif 000003
【図２】
2004133664.tif 000004
【図３】
2004133664.tif 000005